(57)【特許請求の範囲】
【請求項１】
冷凍冷蔵ショーケースの庫内温度調節，除霜制御を行う運転用コントーラであって、該コントローラをコントローラ本体と、前面パネル部に入力設定器，データ表示ディスプレイを備えた操作・表示部とに分離して両者間を信号ケーブルで相互接続するとともに、コントローラ本体をケース本体の前面上部に設けたキャノピー部の内部に格納し、操作・表示部をキャノピー部の前面化粧板に嵌め込んで設置するとともに、操作・表示部の前面に操作・表示部のうち表示部との対向面を透視面、操作部との対向面を不透視面とし、閉じた状態で前記表示部の表示内容を前面から目視できる開閉蓋を被着したことを特徴とする冷凍冷蔵ショーケースの運転用コントローラ。
【発明の詳細な説明】
【０００１】
【産業上の利用分野】
本発明は、冷凍冷蔵ショーケースに装備した運転用コントローラの構成，およびその取付け構造に関する。
【０００２】
【従来の技術】
冷凍冷蔵ショーケースには、庫内温度センサ，除霜温度センサ，外気温度センサなどからの信号を取り込んで庫内温度調節，除霜制御を行う運転用コントローラを装備している。また、昨今でのショーケースでは、運転用コントローラとして電子式コントローラが一般に採用されている。この電子式コントローラはマイコン制御部を中核として、これに前記の温度センサ，庫内温度，除霜タイム，除霜終了温度などの設定値を入力する操作部，およびその入力データ，保冷中の庫内温度をディジタル表示する液晶ディスプレイ式の表示部などを組合わせたものであり、従来の構成では温度センサを除く各構成要素をコントローラに全て組み込んだ一体形として組立構成されている。そして、この運転用コントローラはショーケースの前面上部に設けたキャノピー部と呼ばれる天蓋状の照明器具取付け部に格納し、前記の操作部，表示部がキャノピー部の前面化粧板に開口した透視窓に臨むように設置されている。
【０００３】
【発明が解決しようとする課題】
ところで、冷凍冷蔵ショーケースは種類によってキャノピー部の形状，大きさが異なる。このために、前記のような一体形の運転用コントローラでは、コントローラをキャノピー部に格納する場合にショーケースの機種によってはスペース面で制約を受けてコントローラを所望の位置に設置できない場合がある。
【０００４】
また、庫内温度，除霜温度，高温警報，低温警報の設定値などは、ショーケースの現地据付け後にユーザ側で随時入力変更できるようにその設定スイッチをコントローラの前面操作パネルに取付けてあるが、サーモ運転制御により冷凍機の運転をＯＮ／ＯＦＦ制御する場合のサーモスタットのデファレンシャル（ＯＮ−ＯＦＦ幅）設定は、前記操作部の設定スイッチとは別個に、コントローラのケース側面に備えたディップスイッチで行うようにしており、通常は標準設定値に設定して工場出荷するようにしている。このために、ショーケースを現地据付け後に前記サーモスタットのデファレンシャル設定値を変更する必要が生じた場合には、コントローラを覆っているキャノピー部の化粧パネルを外した上で、コントローラ本体に組み込んだディップスイッチを操作して対処しているのが現状である。
【０００５】
本発明は上記の点にかんがみなされたものであり、その目的は前記課題を解決し、ショーケースのキャノピー部に組み込む際の設置自由度を高め、併せて運転制御の各種設定値入力，変更がショーケースの前面から簡単に行えるようにしたサービス性に優れた冷凍冷蔵ショーケースの運転用コントローラを提供することにある。
【０００６】
【課題を解決するための手段】
上記目的を達成するために、本発明の運転用コントローラは、コントローラ本体と、前面パネル部に入力設定器，データ表示ディスプレイを備えた操作・表示部とに分離して両者間を信号ケーブルで相互接続するとともに、コントローラ本体をケース本体の前面上部に設けたキャノピー部の内部に格納し、操作・表示部をキャノピー部の前面化粧板に嵌め込んで設置するとともに、操作・表示部の前面に操作・表示部のうち表示部との対向面を透視面、操作部との対向面を不透視面とし、閉じた状態で前記表示部の表示内容を前面から目視できる開閉蓋を被着する。
【０００７】
【作用】
上記の構成によれば、キャノピー部内の取付けスペースの制約からコントローラ本体と操作・表示部とを一括して同じ場所に装備することが困難である場合でも、コントローラ本体と操作・表示部とが別な部品として作られているとともに、操作・表示部の前面に開閉蓋を被着しておくことにより、コントローラ本体を操作・表示部と離して組み込むことが可能であり、それだけ設置面での自由度が増し、ショーケースの通常の稼働状態では、蓋の透視面を通して表示部に表示されている庫内温度をショーケースの前方から読み取ることができるとともに、一方では操作部のスイッチ類は蓋の裏側に隠れて外部から見えず、かつ直接手を触れることもできないので、いたずら操作が防げる。
【０００８】
【実施例】
以下、本発明の実施例を図面に基づいて説明する。まず、図１（ａ）において、１は多段形オープンショーケースのケース本体、２は庫内の商品陳列棚、３は冷気循環ダクト４の中に設置した冷却器（冷凍機のエバポレータ）、３ａは冷却器３の除霜ヒータ、５は冷気送風ファン、６はケース本体１の前面上部に設けたキャノピー部、７はキャノピー部の下面側に取付けた照明灯、８はキャノピー部６に組み込んで設置した運転用コントローラである。ここで、運転用コントローラ８は図１（ｂ）で示すようにマイコン制御部を内蔵したコントローラ本体９と、コントローラ本体９から分離して独立した操作・表示部１０と、温度センサ（サーミスタ）１１とからなり、操作・表示部１０は信号ケーブル１２，ケーブルコネクタ（ロック爪付きコネクタ）１２ａを介してコントローラ本体９の端子９ａに接続され、温度センサ１１はそのリード線１１ａがコネクタ１１ｂを介してコントローラ本体の入力端子９ｂに接続されている。なお、９ｃはコントローラ本体９に組み込まれたサーモスタットのデファレンシャル設定用ディップスイッチであり、コントローラ本体９の側面に装備されている。
【０００９】
また、前記の温度センサ１１としては、（ａ）図で示すような各位置に庫内温度センサ１１Ａ，温調用温度センサ１１Ｂ，除霜温度センサ１１Ｃ，外気温度センサ１１Ｄの感温部（サーミスタ）を配置してコントローラ本体９に接続されている。この場合に、各温度センサの配線ミス防止，配線作業の簡便化を図る対策として、温度センサのリード線（被覆線）の被覆を色分けした上で、同色の入力端子へ接続するようにしている。
【００１０】
そして、前記のコントローラ本体９をキャノピー部６の内部に格納し、操作・表示部１０は図２（ａ),（ｂ）で示すようにキャノピー部６の前面化粧板６ａに開口した取付け窓６ｂに前方より嵌め込み、左右両端に設けた係止爪１０ａを介して窓枠に固定されている。この場合に、コントローラ本体９は、図２（ｂ）で示すように本体側面に備えた先記のディップスイッチ９ｃが前記取付け窓６ｂに臨むような位置に位置決めして配備されている。
【００１１】
また、図１（ｂ）に戻って操作・表示部１０の前面パネル上には、入力設定器１３、庫内温度，設定値などの各種データをディジタル表示する液晶式のディスプレイ１４、除霜ランプ１５（除霜時に点灯）などを装備しており、その配列を図３（ａ）に示す。なお、入力設定器１３は制御項目の切換スイッチ１３ａと、制御項目の表示灯１３ｂと、各制御項目の設定値を変更する送りスイッチ１３ｃ，戻りスイッチ１３ｄからなる。
【００１２】
さらに、操作・表示部１０にはその前面を覆うように開閉蓋１６を備えている。この開閉蓋１６は図３（ｂ）で表すように、前記のディスプレイ１４，除霜ランプ１５の前面部を透視面１６ａ、残りの面域を不透明な面１６ｂとし、開閉蓋１６を閉じた状態でディスプレイ１４の表示内容，および除霜ランプの点灯状態がショーケースの前面から目視できるようにしている。なお、開閉蓋１６の裏面に野菜，精肉，魚類，冷凍食品などの用途別にその庫内温度設定値などを表示した一覧表を貼付けておけば、この一覧表を参照して設定値変更作業を簡単に行うことができて便利である。
【００１３】
かかる構成で、ショーケースの通常運転時には操作・表示部１０の開閉蓋１６が閉じており、この状態で開閉蓋１６の透視面１６ａを通してディスプレイ１４に表示されている庫内温度をショーケースの前方から目視確認できる。一方、季節などにより庫内温度設定値などを変更する際には、開閉蓋１６を開いた上で前方から入力設定器１３を操作して必要な制御項目の設定値を変更する。また、温度センサ１１のディファレンシャルを変更する必要のある場合には、ドライバなどの治具を使用して図２（ｂ）のように操作・表示部１０をキャノピー部６の前面化粧板６ａから前方に引外し、前面化粧板６ａの取付け窓６ｂに指先を差し入れてコントローラ本体９のディップスイッチ９ｃを操作することができる。
【００１４】
なお、図４は運転用コントローラの機能を表した入出力構成図である。
【００１５】
【発明の効果】
以上述べたように、本発明の構成よれば、ショーケースへの運転用コントローラの組み込み，並びにショーケースのロケーション先で行う運転調整面で次記のような効果が得られる。
運転用コントローラをコントローラ本体と、前面に入力設定器，データ表示ディスプレイを備えた操作・表示部とに分離して両者間を信号ケーブルで相互接続するとともに、コントローラ本体をケース本体の前面上部に設けたキャノピー部の内部に格納し、操作・表示部をキャノピー部の前面化粧板に嵌め込んで設置するとともに、操作・表示部の前面に操作・表示部のうち表示部との対向面を透視面、操作部との対向面を不透視面とし、閉じた状態で前記表示部の表示内容を前面から目視できる開閉蓋を被着したので、組み込みスペース面での制約を殆ど受けることなく各種のショーケースに対しそのキャノピー部へ簡単に組み込むことができ、しかも、ショーケースのロケーション先で実施する各種制御項目の調整が容易に行えるほか、ショーケースの通常運転時にはディスプレイの表示内容を透視させつつ、同時に入力設定器のいたずら操作を防ぐことができる。
【図面の簡単な説明】
【図１】本発明実施例の構成図であり、（ａ）はショーケースに組み込んだ運転用コントローラの配置図、（ｂ）は運転コントローラの構成斜視図
【図２】図１におけるコントローラの操作・表示部のキャノピー部への組込構造を表す図であり、（ａ）は取付け状態図、（ｂ）は取り外し状態図、
【図３】図１におけるコントローラの操作・表示部の前面図であり、（ａ）は開閉蓋の開蓋状態図、（ｂ）は開閉蓋の閉蓋状態図
【図４】運転用コントローラの機能を表す入出力構成図
【符号の説明】
１    ショーケースの本体
６    キャノピー部
６ａ  前面化粧板
６ｂ  取付け窓
８    運転用コントローラ
９    コントローラ本体
９ａ，９ｂ  端子
９ｃ  ディップスイッチ（温度センサのディファレンシャル調整用）
１０    操作・表示部
１０ａ  係止爪
１１    温度センサ
１２    信号ケーブル
１３    入力設定器
１４    ディスプレイ
１５    除霜ランプ
１６    開閉蓋
１６ａ  透視面
１６ｂ  不透明面
【図１】
0003726729.tif 000002
【図２】
0003726729.tif 000003
【図３】
0003726729.tif 000004
【図４】
0003726729.tif 000005